(57)【要約】【課題】  養生テープロール並びに下敷きテープロールの壁紙糊付機への取付け・交換が容易なテープ取付装置を得る。【解決手段】  テープロールの軸心孔に挿入される芯棒と、芯棒の後端に形成された芯棒の径よりも小さいネジ軸部と、ネジ軸部に螺合する固定ネジとを備え、  固定ネジの頭部が通過可能な大きさの大径部と、固定ネジが螺合するネジ軸部が嵌合すると共に前記芯棒が通過不可能な大きさの小径部とを連続させて設けただるま孔を壁紙糊付機の取付け場所に備える。【選択図】      図５
0003169399.tif 000002
【実用新案登録請求の範囲】
【請求項１】
複数のローラが回転可能に軸支された壁紙糊付機の上部構体と下部構体との間で後部から引き入れられたシート状壁装材を前部に払い出しながら、前記下部構体内の糊桶に収容された糊を前記壁装材の裏面に転写塗布した後、壁装材の側部に貼着されるテープロールを壁紙糊付機へ取付ける取付装置であって、
テープロールの軸心孔に挿入される芯棒と、芯棒の後端に形成された芯棒の径よりも小さいネジ軸部と、ネジ軸部に螺合する固定ネジとを備え、
前記固定ネジの頭部が通過可能な大きさの大径部に前記固定ネジが螺合するネジ軸部が嵌合すると共に前記芯棒が通過不可能な大きさの小径部を連続させて設けただるま孔を壁紙糊付機の取付け場所に備えたことを特徴とする壁紙糊付機用テープ取付装置。
【請求項２】
複数のローラが回転可能に軸支された壁紙糊付機の上部構体と下部構体との間で後部から引き入れられたシート状壁装材を前部に払い出しながら、前記下部構体内の糊桶に収容された糊を前記壁装材の裏面に転写塗布した後、壁装材の側部に貼着されるテープロールを壁紙糊付機へ取付ける取付装置であって、
テープロールの軸心孔に挿入される芯棒と、芯棒の後端に形成された芯棒の径よりも小さいネジ軸部と、ネジ軸部に螺合する固定ネジとを備え、
前記固定ネジの頭部が通過可能な大きさの大径部の下方に前記固定ネジが螺合するネジ軸部が嵌合すると共に前記芯棒が通過不可能な大きさの小径部を連続させて設けただるま孔を壁紙糊付機の取付け場所に備えたことを特徴とする壁紙糊付機用テープ取付装置。
【請求項３】
複数のローラが回転可能に軸支された壁紙糊付機の上部構体と下部構体との間で後部から引き入れられたシート状壁装材を前部に払い出しながら、前記下部構体内の糊桶に収容された糊を前記壁装材の裏面に転写塗布した後、壁装材の側部に貼着されるテープロールを壁紙糊付機へ取付ける取付装置であって、
テープロールの軸心孔に挿入される芯棒と、芯棒の後端に形成された芯棒の径よりも小さいネジ軸部と、ネジ軸部に螺合する固定ネジとを備え、
前記固定ネジの頭部が通過可能な大きさの大径部の下方に前記固定ネジが螺合するネジ軸部が嵌合すると共に前記芯棒が通過不可能な大きさの小径部を連続させて設けただるま孔を壁紙糊付機の取付け場所に備え、
前記固定ネジが蝶ネジであることを特徴とする壁紙糊付機用テープ取付装置。
【請求項４】
複数のローラが回転可能に軸支された壁紙糊付機の上部構体と下部構体との間で後部から引き入れられたシート状壁装材を前部に払い出しながら、前記下部構体内の糊桶に収容された糊を前記壁装材の裏面に転写塗布した後、壁装材の側部に貼着されるテープロールを壁紙糊付機へ取付ける取付装置であって、
テープロールの軸心孔に挿入される芯棒と、芯棒の後端に形成された芯棒の径よりも小さいネジ軸部と、ネジ軸部に螺合する固定ネジとを備え、
前記固定ネジの頭部が通過可能な大きさの大径部と、この大径部の下方に前記固定ネジが螺合するネジ軸部が嵌合すると共に前記芯棒が通過不可能な大きさの小径部とを連続させて設けただるま孔を壁紙糊付機の取付け場所に備え、
前記固定ネジが蝶ネジであり、前記蝶ネジがネジ軸部から外れることがないように前記ネジ軸部の端部のネジ山を変形させたことを特徴とする壁紙糊付機用テープ取付装置。
【考案の詳細な説明】
【技術分野】
【０００１】
本考案は、壁紙糊付機に装着される養生テープ及び下敷きテープの取付装置に関するものである。
【背景技術】
【０００２】
一般的に、建築物の内装施工において、室内壁面への壁装材の貼付作業は、現場で専用の壁紙糊付機を用いてシート状の壁装材の裏面に糊を連続的に塗布しながら行っている。この壁紙糊付機として、内部に複数のローラが配置された上部構体及び下部構体から主に糊付機本体が構成され、該糊付機本体の上下構体の間に挟み込んだシート状壁装材（以下、クロスと記す）を各種ローラで搬送しながら下部構体内の糊タンクに軸支されている糊掻上げローラで糊タンクから糊をすくい上げて糊付けローラに転写し、この糊付けローラによりクロス裏面に塗付していくものが一般的である。
【０００３】
壁紙糊付機には手動式と自動式があり、具体的な構成の一例としては、下部構体上に原反ロールから繰り出されるクロスを先端部が本体前面に垂れる状態で載置して上部構体を閉じて下部構体と上部構体の所定ローラ間にクロスを挟み込んだ状態において、手動式装置ではクロス先端を作業者が手で持って前方へ引っ張ることによりローラの一部を追従回転させると共に他のローラをギアを介して連動回転させるものであり、自動式装置では所定のローラの軸を電動モータ等の駆動源に連結して回転させることによって他のローラもギアを介して連動回転するものが一般的である。
【０００４】
このような壁紙糊付機は、現場で使用するものであり、裏面に糊が塗布された壁装材を順次壁面に貼り付けていく。この貼付作業においては、通常、壁面上で隣り合う二枚の壁装材を繋ぎ合わせる際に、壁装材の縁部同士を重ね合わせた状態とし、糊が乾く前に重ね合わせ部分のほぼ中央で二枚の壁装材を同時に刃物で切断している。
【０００５】
切断後は、上側の壁装材の切り離された縁条部を下側壁装材表面から剥がし取ると共に、下側の壁紙の切り離された縁条部を壁面から剥がし取り、この縁条部があった壁面上に上側の壁紙の本体部分を貼り付ける。これによって、隣り合う二枚の壁装材の残った本体部分は互いに切断縁同士が連続的に繋ぎ合わされた状態が得られる。このような施工方法は「重ね切り」と言われ、壁装材貼付方法として一般的に用いられている。
【０００６】
この「重ね切り」施工法を用いる場合、下側の壁装材の縁部分の表面に余計な糊を付着させることなく、切断後の上下の壁装材の切り離された縁条部が容易に剥がせるようにするために、糊付け済みの壁装材裏面の上側に配置される縁部分に、その長尺方向に沿って養生テープを積層している。このような養生テープの積層により、上側に重ねられる壁装材の縁部分の糊の接着力が維持できる。
【０００７】
一方、「重ね切り」施工を行うと石膏ボードや合板等の下地基材表面が切断され、裏面強度が低下するため、壁装材施工後、乾燥に伴う壁装材の収縮力に追従できず、結果的に目透き現象が発生しやすくなる。その対応策として養生テープと同様、養生テープ側と反対側の端に下敷きテープを積層する事により、壁装材の切断時に下地基材を傷つけないように施工することにより、目透き現象を抑止している。尚、「養生テープ」並びに「下敷きテープ」を壁装材施工前に裏面の両端に各々貼付するため、壁装材養生の間、端部の乾燥を防いだり、あるいは張り付けの際に壁装材の天地がわかり易くなる効果がある。
【０００８】
自動壁紙糊付機では、この養生テープ並びに下敷きテープの壁装材糊付面への積層も糊付けと平行して行われる。一般的には、糊付機本体の下部構体の下方に配置されたテープロールから繰り出される養生テープ並びに下敷きテープが、糊桶の前面側から均しローラ下方へ導かれ、ドライブローラと均しローラとの間を通ることによって、糊付けローラから糊塗布済みで搬送されてくる壁装材がドライブローラと均しローラとの間を通過する際に壁装材裏面に積層された状態で壁装材と共に糊付機本体前方へ送り出されてくる（例えば、特許文献１参照）。
【先行技術文献】
【特許文献】
【０００９】
【特許文献１】特許第４０３３４１８号公報の図１及び図３
【考案の概要】
【考案が解決しようとする課題】
【００１０】
さて、従来の壁紙糊付機においては、糊付機本体が載置される脚部付き台座の枠板にテープ芯棒の一端がネジ止めされてローラと平行に配置され、このテープ芯棒が筒状テープ芯を介して養生テープロール並びに下敷きテープロ一ルの中空芯内に挿通されることによって養生テープロール並びに下敷きテープロ一ルが糊付機本体下方に回転可能に軸支されている。テープ芯棒に軸支された養生テープロール並びに下敷きテープロ一ルは、各々テープ芯棒が挿通された二枚のテープ側板によって両側面で挟み込まれている。
【００１１】
しかしながら、上記のような養生テープ並びに下敷きテープは、糊付機の小型化に伴う各テープロール自体の巻き数の減少に伴い、ロールの取り替え回数が増加することとなり、取付けの簡便化が望まれていた。
【００１２】
本考案は、上記問題点に鑑み、養生テープロール並びに下敷きテープロールの壁紙糊付機への取付け・交換が容易で、固定ネジが緩んでも取付け場所から安易に外れ、交換が容易で、ナットを紛失する心配がないテープ取付装置の提供を目的とする。
【課題を解決するための手段】
【００１３】
請求項１に記載された考案に係る壁紙糊付機用テープ取付装置は、複数のローラが回転可能に軸支された壁紙糊付機の上部構体と下部構体との間で後部から引き入れられたシート状壁装材を前部に払い出しながら、前記下部構体内の糊桶に収容された糊を前記壁装材の裏面に転写塗布した後、壁装材の側部に貼着されるテープロールを壁紙糊付機へ取付ける取付装置であって、
テープロールの軸心孔に挿入される芯棒と、芯棒の後端に形成された芯棒の径よりも小さいネジ軸部と、ネジ軸部に螺合する固定ネジとを備え、
前記固定ネジの頭部が通過可能な大きさの大径部と、前記固定ネジが螺合するネジ軸部が嵌合すると共に前記芯棒が通過不可能な大きさの小径部とを連続させて設けただるま孔を壁紙糊付機の取付け場所に備えたことを特徴とするものである。
【００１４】
請求項２に記載された考案に係る壁紙糊付機用テープ取付装置は、複数のローラが回転可能に軸支された壁紙糊付機の上部構体と下部構体との間で後部から引き入れられたシート状壁装材を前部に払い出しながら、前記下部構体内の糊桶に収容された糊を前記壁装材の裏面に転写塗布した後、壁装材の側部に貼着されるテープロールを壁紙糊付機へ取付ける取付装置であって、
テープロールの軸心孔に挿入される芯棒と、芯棒の後端に形成された芯棒の径よりも小さいネジ軸部と、ネジ軸部に螺合する固定ネジとを備え、
前記固定ネジの頭部が通過可能な大きさの大径部と、この大径部の下方に前記固定ネジが螺合するネジ軸部が嵌合すると共に前記芯棒が通過不可能な大きさの小径部とを連続させて設けただるま孔を壁紙糊付機の取付け場所に備えたことを特徴とするものである。
【００１５】
請求項３に記載された考案に係る壁紙糊付機用テープ取付装置は、複数のローラが回転可能に軸支された壁紙糊付機の上部構体と下部構体との間で後部から引き入れられたシート状壁装材を前部に払い出しながら、前記下部構体内の糊桶に収容された糊を前記壁装材の裏面に転写塗布した後、壁装材の側部に貼着されるテープロールを壁紙糊付機へ取付ける取付装置であって、
テープロールの軸心孔に挿入される芯棒と、芯棒の後端に形成された芯棒の径よりも小さいネジ軸部と、ネジ軸部に螺合する固定ネジとを備え、
前記固定ネジの頭部が通過可能な大きさの大径部と、この大径部の下方に前記固定ネジが螺合するネジ軸部が嵌合すると共に前記芯棒が通過不可能な大きさの小径部とを連続させて設けただるま孔を壁紙糊付機の取付け場所に備え、
前記固定ネジが蝶ネジであることを特徴とするものである。
【００１６】
請求項４に記載された考案に係る壁紙糊付機用テープ取付装置は、複数のローラが回転可能に軸支された壁紙糊付機の上部構体と下部構体との間で後部から引き入れられたシート状壁装材を前部に払い出しながら、前記下部構体内の糊桶に収容された糊を前記壁装材の裏面に転写塗布した後、壁装材の側部に貼着されるテープロールを壁紙糊付機へ取付ける取付装置であって、
テープロールの軸心孔に挿入される芯棒と、芯棒の後端に形成された芯棒の径よりも小さいネジ軸部と、ネジ軸部に螺合する固定ネジとを備え、
前記固定ネジの頭部が通過可能な大きさの大径部と、この大径部の下方に前記固定ネジが螺合するネジ軸部が嵌合すると共に前記芯棒が通過不可能な大きさの小径部とを連続させて設けただるま孔を壁紙糊付機の取付け場所に備え、
前記固定ネジが蝶ネジであり、前記蝶ネジがネジ軸部から外れることがないように前記ネジ軸部の端部のネジ山を変形させたことを特徴とするものである。
【考案の効果】
【００１７】
本考案は、固定ネジを緩めるだけで芯棒を取付け場所から取り外すことができるため、養生テープロール並びに下敷きテープロールの壁紙糊付機への取付け・交換を容易に行うことができるという効果がある。また、大径部の下方に小径部を備えただるま孔であるため、固定ネジが緩んでも取付け場所から安易に外れることがないという効果がある。更に、固定ネジを蝶ネジとしたため、取付け・交換が容易に行うことができるという効果がある。また、蝶ナットをテープ芯棒から完全に外す必要が無いため、蝶ナットの取付手問を削減したり、あるいは蝶ナットを紛失する心配がないという効果がある。
【図面の簡単な説明】
【００１８】
【図１】本考案の一実施例の壁紙糊付機の側面図である。
【図２】図１の壁紙糊付機の本体内部構成を示す説明図である。
【図３】図１の壁紙糊付機の台座部を含む脚部の構成を示す斜視図である。
【図４】図３の脚部のヒンジ部を示す説明図である。
【図５】図４のヒンジ部の別の角度からの説明図である。
【図６】本考案の要部の構成を示す斜視図である。
【考案を実施するための形態】
【００１９】
本考案においては、テープロールの軸心孔に挿入される芯棒と、芯棒の後端に形成されたネジ穴と、固定ネジとを備え、固定ネジの頭部が通過可能な大径部に固定ネジの軸部が嵌合して芯棒が通過不可能な小径部を連続させて設けただるま孔を壁紙糊付機の取付け場所に備える。これにより、固定ネジを緩めるだけで芯棒を取付け場所から取り外すことができるため、養生テープロール並びに下敷きテープロールの壁紙糊付機への取付け・交換を容易に行うことができる。
【００２０】
また、別の考案においては、テープロールの軸心孔に挿入される芯棒と、芯棒の後端に形成されたネジ穴と、固定ネジとを備え、固定ネジの頭部が通過可能な大径部の下方に固定ネジの軸部が嵌合して芯棒が通過不可能な小径部を連続させて設けただるま孔を壁紙糊付機の取付け場所に備える。これにより、大径部の下方に小径部を備えただるま孔であるため、固定ネジが緩んでも取付け場所から安易に外れることがない。更に、別の考案においては、固定ネジを蝶ネジとしたため、取付け・交換が容易に行うことができる。また、蝶ネジがネジ軸部から外れることがないようにしているため、蝶ナットを紛失する心配がない。
【実施例】
【００２１】
１．全体構成
図１は本考案の一実施例の壁紙糊付機の側面図である。図２は図１の壁紙糊付機の本体内部構成を示す説明図である。図１、図２に示す通り、本実施例の壁紙糊付機は、糊付機本体１と、この糊付機本体１を載置する台座部１５と、糊付機本体１を所定高さで支持するために台座部１５の左右両端に配された各ヒンジ部９を介して伏仰可能に二本一対で配される前脚２１と後脚２２とで構成される脚部２が支持されている。また、本体１と台座部１５とは、糊付機本体１の両側のヒンジ部９のそれぞれ２箇所のフックに各々掛止されるパチン錠１６で固定される。
【００２２】
台座部１５と一対の脚部２とには、左右の脚部２同士が対向するように伏仰可能に折りたたまれる折りたたみ機構が備わっており、台座部１５と脚部２との折りたたみ部位に配されたヒンジ部９の最下部には折りたたみ時に接地する接地部２４が形成されている。
【００２３】
糊付機本体１は、糊桶５を主とする下部構体３とその上に開閉可能に載置される上部構体４とによって構成される。一方の側板１１の下部構体３にはコントローラ７５が装着され、下部構体３の後面側には着脱可能なスリッター７１が配され、上部構体４はこの下部構体３の上部を覆うように配されている。
【００２４】
左右一対の脚部２には、クロス受けブラケット４５が回動自在に配されており、クロス受けブラケット４５の先端部には、原反ロールＲの中心に通されたクロス芯棒４６が軸支されている。
【００２５】
原反ロールＲから繰り出される壁装材（クロス）Ｃは、後脚２２間に渡された脚部テンションバー６８と、スリッター７１の下方に設置された第１テンションバー（不図示）と第２テンションバー（不図示）とを備えたテンションバー群６３で曲折されながら、スリッター７１に搬送され、クロスの両側部が切断される。
【００２６】
図２に示す通り、コントローラ７５内の駆動源（図示せず）の駆動軸による糊付けローラ３１の回転に伴って、ギアを介して回転運動が伝達された他のローラも回転し、上下部構体３，４間に挟み込まれているロールＲから一端が解けたクロスＣを後方から前方へ搬送し、その途中で糊付けローラ３１上を搬送される際に糊桶５から引き上げられた糊がクロス裏面に塗布塗布される。
【００２７】
この糊付けローラ３１は、下部構体３の左右両側壁面の軸支板に軸支され、できるだけ糊桶５内に沈む下方位置の配置となるように構成されている。また、糊桶５内の糊は糊付けローラ３１に当接する糊上げローラ５１によって行われ、糊上げローラ５１は糊桶５の両側側面に中心より後面側寄りの位置で軸支され、糊桶５内の糊を回転によって掻き上げて糊付けローラ３１に塗布する。
【００２８】
糊付けローラ３１は、糊付機本体１に着脱自在に取付けられる駆動源である電動モータを備えたコントローラ７５の駆動軸に連結されている。糊付けローラ３１の回転軸は、下部構体３に配置される下ピンチローラ３２、ドクターローラ３３、均しローラ３４及び上部構体４に配置される検尺ローラとして用いられる上ピンチローラ４１、押さえローラ４２、ドライブローラ４３のうちの所定ローラの回転軸とギアを介して連動される。
【００２９】
均しローラ３４には、図２に示す通り、均しローラ３４を介して送られて来る糊付済のクロスＣを糊付機本体１の前面に案内するための複数個のツメ５３が長手方向にほぼ均等に装着されたツメステー５４が、両端に配された装着具（図示せず）を介して取付けられている。
【００３０】
尚、壁紙糊付機の両側部には、ドクターローラ３３の回動軸に偏心して固定された偏心ギアを駆動するレバー３９を備え、このレバー３９により偏心ギアによって保持されたドクターローラ３３の軸端が糊付けローラ３１と相対移動され、ドクターローラ３３と糊付けローラ３１との相対間隔が変化して、糊付けローラ３１に付着する糊量を調整できるようになっている。
【００３１】
２．テープ取付け構造
図３は図１の壁紙糊付機の台座部を含む脚部の構成を示す斜視図である。図４は図３の脚部のヒンジ部を示す説明図である。図５は図４のヒンジ部の別の角度からの説明図である。図６はテープロールを保持する芯棒の構成を示す斜視図である。
【００３２】
図３に示す通り、糊付機本体１が載置される台座部１５は、前枠材１７、後枠材１８及び左右の側枠材９１を組み合わせた枠体構造からなる。糊付機本体１を所定高さで支持する脚部２は、台座部１５の左右の各々の側枠材９１の下面側に前後に二本一対で配される前脚２１と後脚２２とで構成される。
【００３３】
図４，５に示す通り、図３の前脚２１及び後脚２２の上端部と係合するヒンジ部９の前後壁面及び側枠材９１の下方に伸びた一対の下垂片９４の側枠材９１と平行な位置には、同一軸線上に軸孔９２が形成されている。ヒンジ部９の前後には、前枠材１７、後枠材１８の下面を支持する支持材９６が形成され、ヒンジ部９の側枠材９１の下方には、テープ取付け芯棒の取付け片９７が下垂され、ヒンジ部９の後面側には、第１テンションバーの端部を取り外し可能に各々保持する取付け部９９が形成されている。
【００３４】
ヒンジ部９では、脚部２の上端部の軸孔９２とヒンジ部９の軸孔９２とにヒンジ軸９３が貫通され、ヒンジ軸９３を中心に回動可能に固定されている。脚部２は略水平状態に保持される閉脚状態と、略垂直状態に保持される立脚状態との２つの脚部状態の間で回動される。閉脚状態と立脚状態とを保持する掛止機構としては、脚部２の上端部と、丸棒状のストッパー２５との掛止によって成される。
【００３５】
図５に示される通り、テープ取付け芯棒の取付け片９７にはだるま孔９８が備えられている。図６に示す通り、だるま孔９８に取付けられるテープ取付け芯棒８１は、先端部分で一対のテープ用側板でテープ（図示せず）が挟まれた状態で芯棒８１に装着される。この芯棒８１の後端部は、固定用蝶ネジ８２が螺合するネジ軸部８３が設けられている。
【００３６】
だるま孔９８は、固定用蝶ネジ８２の頭部が通過可能な大径部の下方に固定用蝶ネジ８２が螺合するネジ軸部が嵌合して芯棒８１が通過不可能な小径部を連続させて設けられており、蝶ネジ８２を緩めるだけで芯棒８１を取り外すことができるため、養生テープロール又は下敷きテープロールの壁紙糊付機への取付け・交換を容易に行うことができる。また、だるま孔９８は、大径部の下方に小径部を備えるため、蝶ネジ８２が緩んでもだるま孔９８から安易に外れることがない。尚、芯棒８１をだるま孔９８に固定するネジは取付け取り外しを容易にするために蝶ネジ８２を用いたが、通常の６角形のナットを用いても良い。
【符号の説明】
【００３７】
１…糊付機本体、
１１…側板、
１５…台座部、
１６…パチン錠、
１７…前枠材、
１８…後枠材、
２…脚部、
２１…前脚、
２２…後脚、
２３…掛止部、
２４…接地部、
２５…ストッパー
２６…バネ、
３…下部構体、
３１…糊付けローラ、
３２…下ピンチローラ、
３３…ドクターローラ、
３４…均しローラ、
３９…レバー、
４…上部構体、
４１…上ピンチローラ、
４２…押さえローラ、
４３…ドライブローラ、
４５…クロス受けブラケット、
４６…クロス芯棒、
５…糊桶、
５１…糊上げローラ、
５３…ツメ
５４…ツメステー
６３…テンションバー群、
６８…脚部テンションバー、
７１…スリッター、
７５…コントローラ、
８１…テープ取付け芯棒、
８２…固定用蝶ネジ、
８３…ネジ軸部、
８４…テープ用側板、
８５…側板固定用蝶ネジ、
９…台座側部、
９１…側枠材、
９２…軸孔、
９３…ヒンジ軸、
９４…下垂片、
９５…長孔、
９６…支持材、
９７…テープ取付け芯棒の取付け片、
９８…だるま孔、
９９…第１テンションバーの端部の取付け部、
Ｒ…原反ロール、
Ｃ…クロス、
【図１】
0003169399.tif 000003
【図２】
0003169399.tif 000004
【図３】
0003169399.tif 000005
【図４】
0003169399.tif 000006
【図５】
0003169399.tif 000007
【図６】
0003169399.tif 000008